(57)【要約】【課題】本発明は土台等の木材が収縮しても、該木材の収縮に応じて締付け方向に自動的に移動できるようにして、ナットの浮き上がりを阻止し、床鳴り、床材の押し上げを効率よく阻止することができるナットを得るにある。【解決手段】底面が弧状の座金を兼用することのできるナット本体と、このナット本体の中央部を貫通する底面側が順次小径寸法となる傾斜面に形成された傾斜貫通孔と、この傾斜貫通孔の底面側の内壁面の軸心方向に所定間隔で形成された少なくとも２個以上のガイド片と、これらのガイド片間に軸心方向にスライド移動可能に取付けられた内壁面にボルトと螺合されるねじ山が形成された少なくとも２個以上のナットセグメントと、この少なくとも２個以上のナットセグメントを常時ナット本体の底面側に付勢するように該ナット本体の傾斜貫通孔内に収納された付勢コイルスプリングと、この付勢コイルスプリングをナット本体の傾斜貫通孔内に収納した状態を保持する保持手段とでナットを構成している。【選択図】　図１
2004116696.tif 000002
【特許請求の範囲】
【請求項１】
底面が弧状の座金を兼用することのできるナット本体と、このナット本体の中央部を貫通する底面側が順次小径寸法となる傾斜面に形成された傾斜貫通孔と、この傾斜貫通孔の底面側の内壁面の軸心方向に所定間隔で形成された少なくとも２個以上のガイド片と、これらのガイド片間に軸心方向にスライド移動可能に取付けられた内壁面にボルトと螺合されるねじ山が形成された少なくとも２個以上のナットセグメントと、この少なくとも２個以上のナットセグメントを常時前記ナット本体の底面側に付勢するように、該ナット本体の傾斜貫通孔内に収納された付勢コイルスプリングと、この付勢コイルスプリングを前記ナット本体の傾斜貫通孔内に収納した状態を保持する保持手段とからなることを特徴とするナット。
【請求項２】
底面が弧状の座金を兼用することのできるナット本体と、このナット本体の外周部寄りの部位に形成された土台等に、弧状に切削された部位に該ナット本体を釘やビス等の固定具によって固定する、少なくとも１個以上の固定具挿入孔と、前記ナット本体の中央部を貫通する底面側が順次小径寸法となる傾斜面に形成された傾斜貫通孔と、この傾斜貫通孔の底面側の内壁面の軸心方向に所定間隔で形成された少なくとも２個以上のガイド片と、これらのガイド片間に軸心方向にスライド移動可能に取付けられた内壁面にボルトと螺合されるねじ山が形成された少なくとも２個以上のナットセグメントと、この少なくとも２個以上のナットセグメントを常時前記ナット本体の底面側に付勢するように、該ナット本体の傾斜貫通孔内に収納された付勢コイルスプリングと、この付勢コイルスプリングを前記ナット本体の傾斜貫通孔内に収納した状態を保持する保持手段とからなることを特徴とするナット。
【請求項３】
底面が弧状の座金を兼用することのできるナット本体と、このナット本体の中央部を貫通する底面側が順次小径寸法となる傾斜面に形成された傾斜貫通孔と、この傾斜貫通孔の底面側の内壁面の軸心方向に所定間隔で形成された少なくとも２個以上のガイド片と、これらのガイド片間に軸心方向にスライド移動可能に取付けられた内壁面にボルトと螺合されるねじ山が形成された少なくとも２個以上のナットセグメントと、この少なくとも２個以上のナットセグメントを常時前記ナット本体の底面側に付勢するように、該ナット本体の傾斜貫通孔内に収納された付勢コイルスプリングと、この付勢コイルスプリングを前記ナット本体の傾斜貫通孔内に収納した状態を保持する保持手段と、前記ナット本体の底面に形成した土台等に弧状に切削することができる複数個の切削刃と、前記ナット本体の上面側に形成した、該ナット本体を回転させる治具に取付けられる係止部とからなることを特徴とするナット。
【発明の詳細な説明】
【０００１】
【発明の属する技術分野】
本発明は木造住宅の土台等を締付け固定するナットに関する。
【０００２】
【従来の技術】
従来の土台は基礎に下端部が埋設されたアンカーボルトが挿入されるアンカーボルト挿入孔を形成し、座金を介してナットで締付け固定している。
しかしながら、この方法では土台の上部に座金とナットが突出するため半円弧形状で、底面に土台を半円弧形状に切削することができる複数個の切削刃が形成された土台の上面に上面が位置できるナットが市販されている。
【０００３】
【発明が解決しようとする課題】
従来の半円弧形状のナットはアンカーボルトに螺合固定状態で取付けられるため、土台の木材が収縮した場合、土台の上面よりナットが浮き上がった状態となり、施工不良が発生し、床鳴り、床材の押し上げを起こし、クレームが発生するという欠点があった。
【０００４】
本発明は以上のような従来の欠点に鑑み、土台等の木材が収縮しても、該木材の収縮に応じて締付け方向に自動的に移動できるようにして、ナットの浮き上がりを阻止し、床鳴り、床材の押し上げを効率よく阻止することができるナットを提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は底面が弧状の座金を兼用することのできるナット本体と、このナット本体の中央部を貫通する底面側が順次小径寸法となる傾斜面に形成された傾斜貫通孔と、この傾斜貫通孔の底面側の内壁面の軸心方向に所定間隔で形成された少なくとも２個以上のガイド片と、これらのガイド片間に軸心方向にスライド移動可能に取付けられた内壁面にボルトと螺合されるねじ山が形成された少なくとも２個以上のナットセグメントと、この少なくとも２個以上のナットセグメントを常時前記ナット本体の底面側に付勢するように、該ナット本体の傾斜貫通孔内に収納された付勢コイルスプリングと、この付勢コイルスプリングを前記ナット本体の傾斜貫通孔内に収納した状態を保持する保持手段とでナットを構成している。
【０００７】
【発明の実施の形態】
以下、図面に示す実施の形態により、本発明を詳細に説明する。
【０００８】
図１ないし図９に示す本発明の第１の実施の形態において、１は基礎２に下端部が埋設されたアンカーボルト３に螺合され、土台４を固定する場合に使用される本発明のナットで、このナット１は底面が弧状の座金を兼用することができるナット本体５と、このナット本体５の外周部寄りの部位に形成された土台４に弧状に切削されたナット挿入凹部６に、該ナット本体５を釘やビス等の固定具７によって固定する少なくとも１個以上、本発明の実施の形態では２個の固定具挿入孔８、８と、前記ナット本体５の中央部を貫通する底面側が順次小径寸法となる傾斜面に形成された傾斜貫通孔９と、この傾斜貫通孔９の底面側の内壁面９ａの軸心方向に所定間隔で形成された少なくとも２個以上、本発明の実施の形態では３個のガイド片１０、１０、１０と、これらのガイド片１０、１０、１０間に軸心方向にスライド移動可能に取付けられた内壁面に前記アンカーボルト３と螺合されるねじ山１１ａが形成された３個のナットセグメント１１、１１、１１と、このナットセグメント１１、１１、１１を常時前記ナット本体５の底面側に付勢するように該ナット本体５の傾斜貫通孔９内に収納された付勢コイルスプリング１２と、この付勢コイルスプリング１２を前記ナット本体５の傾斜貫通孔９内に収納した状態に保持する、該傾斜貫通孔９内に収納され、付勢コイルスプリング１２の後端部を支持するリング状の座金１３、この座金１３が前記傾斜貫通孔９内より外部へ脱落しないように係止するカシメ片１４とからなる保持手段１５とで構成されている。
【０００９】
上記構成のナット１は基礎２に下端部が埋設されたアンカーボルト３が挿入されるアンカーボルト挿入孔１６および、該アンカーボルト挿入孔１６の上部を弧状に切削されたナット挿入凹部６を形成した土台４のアンカーボルト挿入孔１６にアンカーボルト３を挿入させ、該アンカーボルト３の上部にナット１を押し込むことにより、ナット本体５はナット挿入凹部６内に入り込むとともに、３個のナットセグメント１１、１１、１１は付勢コイルスプリング１２に抗した状態でアンカーボルト３が押し込まれて、アンカーボルト３のねじ山とナットセグメント１１、１１、１１のねじ山１１ａとが噛み合い、螺合された状態となり、この状態でナット１を釘やビス等の固定具７、７によって土台４に固定される。
この状態で土台４が収縮した場合、ナット１が土台４に固定具７、７によって固定されているため、アンカーボルト３にナット１が押し込まれた状態となり、増し締め効果が得られる。
【００１０】
また、図８に示すようにアンカーボルト３を土台４上の柱１７に固定した支持金具１８にナット１９を用いて取付ける場合にも、土台４を固定するナット１として使用でき、従来と比べてアンカーボルトを１本減らすことができる。
【００１１】
さらに、図９に示すようにアンカーボルト３にターンバックル２１等によって取付けられた柱１７Ａの貫通孔２０を通過する補強ボルト２２に使用される場合の、土台４に固定するナット１として使用できる。
【００１２】
【発明の異なる実施の形態】
次に、図１０ないし図１９に示す本発明の異なる実施の形態につき説明する。なお、これらの本発明の異なる実施の形態の説明に当って、前記本発明の第１の実施の形態と同一構成部分には同一符号を付して重複する説明を省略する。
【００１３】
図１０ないし図１３に示す本発明の第２の実施の形態において、前記本発明の第１の実施の形態と主に異なる点は、ナット本体５の底面に土台４をナット挿入凹部６を切削することができるように形成された複数個、本発明の実施の形態では４個の切削刃２３、２３、２３、２３と、前記ナット本体５の上面側に形成した、該ナット本体５を電動ドライバー等の回転させる治具２４に取付けられる係止部２５とを設けた点で、このように形成されたナット１Ａは回転させる治具２４を用いることにより、ナット１Ａで土台４にナット挿入凹部６を形成することができるとともに、前記第１の実施の形態と同様な作用効果が得られる。
【００１４】
図１４ないし図１７に示す本発明の第３の実施の形態において、前記本発明の第１の実施の形態と主に異なる点は、ナット本体５の底面の傾斜貫通孔９の外周部寄りの部位に、該傾斜貫通孔９と軸心がほぼ同じ位置が軸心となる外周部にタッピングねじ２６が形成された筒状の固定部材２７を一体形成あるいは着脱可能に取付けた点で、このように構成したナット１Ｂは釘やビス等の固定具を用いることなく、土台４にナット１Ｂを固定することができる。
【００１５】
図１８および図１９に示す本発明の第４の実施の形態において、前記本発明の第１の実施の形態と主に異なる点は、固定具挿入孔を用いなかった点で、このように構成したナット１Ｃは、ナット１Ｃの上部を床材や柱で押し圧される部位に用いることにより前記本発明の第１の実施の形態と同様な作用効果が得られる。
【００１６】
なお、前記本発明の実施の形態ではアンカーボルト３と螺合して土台４を固定する場合に使用するナットについて説明したが、本発明はこれに限らず、ナット挿入凹部を形成して使用することができる部位の桁と桁、桁と柱等の接続部位に使用してもよい。
【００１７】
【発明の効果】
以上の説明から明らかなように、本発明にあっては次に列挙する効果が得られる。
【００１８】
（１）底面が弧状の座金を兼用することのできるナット本体と、このナット本体の中央部を貫通する底面側が順次小径寸法となる傾斜面に形成された傾斜貫通孔と、この傾斜貫通孔の底面側の内壁面の軸心方向に所定間隔で形成された少なくとも２個以上のガイド片と、これらのガイド片間に軸心方向にスライド移動可能に取付けられた内壁面にボルトと螺合されるねじ山が形成された少なくとも２個以上のナットセグメントと、この少なくとも２個以上のナットセグメントを常時前記ナット本体の底面側に付勢するように、該ナット本体の傾斜貫通孔内に収納された付勢コイルスプリングと、この付勢コイルスプリングを前記ナット本体の傾斜貫通孔内に収納した状態を保持する保持手段とで構成されているので、土台等の上面に突出することなく、ナットを取付けることができる。
したがって、省力化を目的とする施工の簡略化を図ることができる。
【００１９】
（２）前記（１）によって、土台等が収縮した場合、ナットが床材や柱等の押し圧によって、増し締め方向に自動的に移動して、従来のように土台の上面よりナットが浮き上がった状態となり、床鳴り、床材の押し上げを起こしたりする施工不良を確実に阻止することができる。
したがって、工事の省力化を推進させることができる。
【００２０】
（３）前記（１）によって、アンカーボルト等に押し込むだけで、アンカーボルト等の所定部位に螺合固定させることができる。
したがって、ナットの取付け作業が容易で、短時間に行なうことができる。
【００２１】
（４）請求項２は前記（１）〜（３）と同様な効果が得られるとともに、土台等に釘やビス等の固定具によって固定することができる。
したがって、固定された土台等の取付面と一緒に移動させることができ、より確実に増し締めを自動的にさせることができる。
【００２２】
（５）請求項３は前記（１）〜（３）と同様な効果が得られるとともに、土台等にナット挿入凹部をナットの回転により切削形成することができる。
したがって、特殊な切削装置を用いなくても、容易にナット挿入凹部を形成して使用することができる。
【図面の簡単な説明】
【図１】本発明の第１の実施の形態の使用状態の断面図。
【図２】本発明の第１の実施の形態の使用状態の平面図。
【図３】本発明の第１の実施の形態の平面図。
【図４】本発明の第１の実施の形態の正面図。
【図５】本発明の第１の実施の形態の底面図。
【図６】図３の６−６線に沿う拡大断面図。
【図７】アンカーボルトにナットを取付ける状態の説明図。
【図８】本発明の第１の実施の形態の異なる取付け状態の説明図。
【図９】本発明の第１の実施の形態の異なる取付け状態の説明図。
【図１０】本発明の第２の実施の形態の平面図。
【図１１】本発明の第２の実施の形態の正面図。
【図１２】本発明の第２の実施の形態の底面図。
【図１３】ナット挿入凹部の形成状態の説明図。
【図１４】本発明の第３の実施の形態の使用状態の断面図。
【図１５】本発明の第３の実施の形態の平面図。
【図１６】本発明の第３の実施の形態の正面図。
【図１７】本発明の第３の実施の形態の底面図。
【図１８】本発明の第４の実施の形態の平面図。
【図１９】図１８の１９−１９線に沿う拡大断面図。
【符号の説明】
１、１Ａ、１Ｂ、１Ｃ：ナット、
２：基礎、　　　　　　　３：アンカーボルト、
４：土台、　　　　　　　５：ナット本体、
６：ナット挿入凹部、　　７：釘やビス等の固定具、
８：固定具挿入孔、　　　９：傾斜貫通孔、
１０：ガイド片、　　　　１１：ナットセグメント、
１２：付勢コイルスプリング、
１３：座金、　　　　　　１４：カシメ片、
１５：保持手段、　　　　１６：アンカーボルト挿入孔、
１７、１７Ａ：柱、　　　１８：支持金具、
１９：ナット、　　　　　２０：貫通孔、
２１：ターンバックル、　２２：補強ボルト、
２３：切削刃、　　　　　２４：回転させる治具、
２５：係止部、　　　　　２６：タッピングねじ、
２７：固定部材。
【図１】
2004116696.tif 000003
【図２】
2004116696.tif 000004
【図３】
2004116696.tif 000005
【図４】
2004116696.tif 000006
【図５】
2004116696.tif 000007
【図６】
2004116696.tif 000008
【図７】
2004116696.tif 000009
【図８】
2004116696.tif 000010
【図９】
2004116696.tif 000011
【図１０】
2004116696.tif 000012
【図１１】
2004116696.tif 000013
【図１２】
2004116696.tif 000014
【図１３】
2004116696.tif 000015
【図１４】
2004116696.tif 000016
【図１５】
2004116696.tif 000017
【図１６】
2004116696.tif 000018
【図１７】
2004116696.tif 000019
【図１８】
2004116696.tif 000020
【図１９】
2004116696.tif 000021